(57)【特許請求の範囲】
【請求項１】
ネガフィルムを挟持するために用いられるネガマスク（２２）が写真処理装置本体（４０）に着脱自在に構成された写真処理装置であって、
ネガマスク（２２）は、ネガフィルムの一方の面側に近接する位置に開口する一方の開口部およびネガマスク（２２）の外部に対して開口する他方の開口部が形成された第一のダクト（２２Ｖ）と、ネガフィルムの他方の面側に近接する位置に開口する一方の開口部およびネガマスク（２２）の外部に対して開口する他方の開口部が形成された第二のダクト（２２Ｗ）とを備える一方、
写真処理装置本体（４０）は、写真処理装置本体（４０）の外部に対して開口する一方の開口部（４１Ａ），（４１Ｂ）および送風手段（５０）に接続される他方の開口部（４１Ｃ）が形成された外部ダクト（４１）を備え、
ネガマスク（２２）が写真処理装置本体（４０）に装着されたときには、外部ダクト（４１）の一方の開口部（４１Ａ），（４１Ｂ）と第一および第二のダクト（２２Ｖ），（２２Ｗ）の他方の開口部とが近接するように構成されたことを特徴とする写真処理装置。
【請求項２】
前記ネガマスク（２２）と前記外部ダクト（４１）との間、あるいは外部ダクト（４１）と前記送風手段（５０）との間に、緩衝材が設けられている請求項１に記載の写真処理装置。
【請求項３】
前記ネガマスク（２２）は、ネガフィルムを挟持可能であるように、マスク上部体（２２ａ）およびマスク下部体（２２ｂ）を用いて構成され、マスク上部体（２２ａ）におけるマスク下部体（２２ｂ）と接する面に、上部体溝部（２２Ａ）が形成され、該上部体溝部（２２Ａ）と、マスク下部体（２２ｂ）におけるマスク上部体（２２ａ）と接する面とにより、前記第一のダクト（２２Ｖ）が形成される請求項１又は２に記載の写真処理装置。
【請求項４】
前記ネガマスク（２２）は、ネガフィルムを挟持可能であるように、マスク上部体（２２ａ）およびマスク下部体（２２ｂ）を用いて構成され、マスク下部体（２２ｂ）における写真処理装置本体（４０）と接する面に、下部体溝部（２２Ｂ）が形成されると共に、該下部体溝部（２２Ｂ）に、溝部蓋体（２２ｃ）が設けられ、下部体溝部（２２Ｂ）と、溝部蓋体（２２ｃ）とにより、前記第二のダクト（２２Ｗ）が形成される請求項１又は２に記載の写真処理装置。
【請求項５】
前記ネガマスク（２２）は、ネガフィルムを挟持可能であるように、マスク上部体（２２ａ）およびマスク下部体（２２ｂ）を用いて構成され、マスク下部体（２２ｂ）における写真処理装置本体（４０）と接する面に、下部体溝部（２２Ｂ）が形成され、該下部体溝部（２２Ｂ）と、写真処理装置本体（４０）におけるマスク下部体（２２ｂ）と接する面とにより、前記第二のダクト（２２Ｗ）が形成される請求項１又は２に記載の写真処理装置。
【請求項６】
前記ネガマスク（２２）は、ネガフィルムの画像を感光材料に露光するための画像露光手段又はネガフィルムの画像を読み取るための画像読み取り手段の何れかの一構成要素である請求項１乃至５の何れか一項に記載の写真処理装置。
【発明の詳細な説明】
【０００１】
【発明の属する技術分野】
本発明は、写真処理装置に関し、詳しくは写真処理装置を構成する画像露光手段等の改良に関するものである。
【０００２】
【従来の技術】
フィルムから感光材料に対する画像の焼き付け、および焼き付け処理後の感光材料に関する種々の処理等を、一連の流れで自動的に行う写真処理装置は、従来から知られている。上記画像の焼き付けは、通常、写真処理装置を構成する画像露光手段にて行われている。
【０００３】
図４は、従来技術に係る画像露光手段近傍の概略構成図を示したものである。図４において、画像露光手段は、感光材料に対して画像の焼き付けを行う（露光を行う）際に用いられる光源部（図示省略）と、フィルムＦを露光軸Ｘ上に保持等するために用いられるネガマスク１０２と、感光材料を水平に保持等するために用いられる露光台（図示省略）と、露光軸Ｘ上に置かれたフィルムＦの画像を露光台上の感光材料に結像するために用いられるレンズ１０５等とを用いて構成されている。また、光源部からの光は、ミラートンネル１０３を介してネガマスク１０２に保持されたフィルムＦに照射される。ここで、ミラートンネル１０３は、光源部から発せられた露光用の光の露光軸Ｘを、露光台上の感光材料に対して垂直に保持するように構成され、設けられている。
【０００４】
図４に示された画像露光手段を用いて、ネガフィルムＦに形成された画像を感光材料に露光する場合には、上述したように、ミラートンネル１０３を介して供給される照射光を、ネガフィルムＦに照射する必要がある。この照射光はかなりの熱量を有しているので、ネガフィルムＦ中の一つのコマに対して、照射光が連続して照射される場合には、照射光の熱影響によってネガフィルムＦの温度が上昇して、ネガフィルムＦに変色等（いわゆるネガ焼け）が発生するおそれがある。
【０００５】
そこで、従来技術においては、ネガフィルムＦの温度上昇を防いでネガフィルムＦの変色等を防止するために、ネガマスク１０２周辺の所定位置にフィルム冷却手段１１１，１１２が設けられている。図４に示された画像露光手段においては、ネガフィルムＦの表面側に冷却風１１１Ａを送るファン１１１ａを設けた第一のフィルム冷却手段１１１と、ネガフィルムＦの裏面側に冷却風１１２Ａを送るファン１１２ａを設けた第二のフィルム冷却手段１１２とが、それぞれ所定の位置に設けられている。
【０００６】
従来技術に係る画像露光手段によれば、上記フィルム冷却手段１１１，１１２を用いて、フィルムＦを冷却することが可能となるので、効果的にネガフィルムＦの変色等を防止することができる。
【０００７】
【発明が解決しようとする課題】
しかしながら、上記従来技術に係る画像露光手段には、以下のような問題があった。
【０００８】
従来技術によれば、図４に示すようにファン１１１ａ，１１２ａを有するフィルム冷却手段１１１，１１２を設けて、フィルムＦの冷却を行っているが、光路や他部品との干渉等のスペース的な制約があるために、どうしても、フィルムＦからかなり離れた位置に、フィルム冷却手段１１１，１１２を設けざるを得ない。そうすると、フィルムＦに対して、遠い位置から冷却風を吹き付けているために、冷却効率が低下し、効果的にフィルムＦの冷却を行うためには、大きな出力を有するファン１１１ａ，１１２ａが必要となる。
【０００９】
また、フィルムＦの温度上昇が大きい場合等には、フィルムＦの表面および裏面に対して、複数の方向から冷却風を送風する構成とするのが理想的である。さらに、この複数の方向からの送風を行う場合であっても、できるだけ、ファン等の数を抑えることが望ましい。しかしながら、従来技術においては、光路や他部品との干渉等のスペース的な制約があるために、フィルムＦの表面および裏面に対して送風可能とするためには、図４に示したように、第一のフィルム冷却手段１１１および第二のフィルム冷却手段１１２を設けなければならない。すなわち、複数の方向からの送風を行うためには、その方向に対応してそれぞれ少なくとも一つずつのファン等を有したフィルム冷却手段が必要となる。
【００１０】
そこで、本発明は上記従来技術の問題点を解決するためになされたものであって、ネガフィルムの冷却を効率良く行うことが可能であると共に、ネガフィルムに対して複数方向からの送風を行う際におけるファンの数を減少させることが可能である写真処理装置を提供することを課題とする。
【００１１】
【課題を解決するための手段】
すなわち、上記課題を解決するための本発明に係る写真処理装置は、ネガフィルムを挟持するために用いられるネガマスク２２が写真処理装置本体４０に着脱自在に構成された写真処理装置であって、ネガマスク２２は、ネガフィルムの一方の面側に近接する位置に開口する一方の開口部およびネガマスク２２の外部に対して開口する他方の開口部が形成された第一のダクト２２Ｖと、ネガフィルムの他方の面側に近接する位置に開口する一方の開口部およびネガマスク２２の外部に対して開口する他方の開口部が形成された第二のダクト２２Ｗとを備える一方、写真処理装置本体４０は、写真処理装置本体４０の外部に対して開口する一方の開口部４１Ａ，４１Ｂおよび送風手段５０に接続される他方の開口部４１Ｃが形成された外部ダクト４１を備え、ネガマスク２２が写真処理装置本体４０に装着されたときには、外部ダクト４１の一方の開口部４１Ａ，４１Ｂと第一および第二のダクト２２Ｖ，２２Ｗの他方の開口部とが近接するように構成されたことを特徴とする。
【００１２】
本発明に係る写真処理装置によれば、前記ネガマスク内に前記ダクトが設けられ、前記ダクトの一方の開口部が前記ネガフィルムに近接する位置に設けられているので、送風手段を駆動させて発生される冷却風を、前記ネガフィルムに対して、効率よく送ることが可能なネガマスクを得ることができる。
【００１３】
また、本発明に係る写真処理装置においては、前記ダクトが複数本設けられており、前記複数本のダクトのそれぞれの一方の開口部が、前記ネガフィルムの表面および裏面に対して前記送風手段からの送風を行うことが可能な位置に設けられている。
【００１４】
これにより、前記ネガフィルムの表面および裏面に対する送風を、容易に行うことが可能である写真処理装置を得ることができる。
【００１５】
より詳しくは、本発明に係る写真処理装置においては、前記ダクトとして第一のダクト２２Ｖおよび第二のダクト２２Ｗが設けられており、前記第一のダクト２２Ｖの一方の開口部が、前記ネガフィルムの表面に対して前記送風手段からの送風を行うことが可能な位置に設けられ、前記第二のダクト２２Ｗの一方の開口部が、前記ネガフィルムの裏面に対して前記送風手段からの送風を行うことが可能な位置に設けられている。
【００１６】
これにより、前記ネガフィルムの表面および裏面に対する送風を、容易に行うことが可能な写真処理装置を得ることができる。
【００１７】
しかも、本発明に係る写真処理装置によれば、前記ネガマスクが着脱自在であるので、種々のサイズに用いられる種々のネガマスクを用いて写真処理装置を構成する場合であっても、それらの種々のネガマスクに対して、前記外部ダクト４１および前記送風手段５０に対応した形状のダクトを形成することによって、いかなるサイズのネガフィルムについても、効率よく冷却を行うことが可能な写真処理装置を得ることができる。
【００１８】
さらに、本発明に係る写真処理装置によれば、従来のようにファンを設ける際における光路や他部品とのスペース的な干渉等を考慮する必要がなく、比較的、前記ネガフィルムに近い位置に前記送風手段を設けることができる。また、仮に、若干離れた位置に前記送風手段を設けなければならない場合であっても、前記送風手段から供給される冷却風は、前記ダクトを介して前記ネガフィルムに吹き付けられるので、従来よりも、冷却効率を上昇させることが可能である写真処理装置を得ることができる。
【００１９】
また、本発明に係る写真処理装置においては、前記ネガマスク２２と前記外部ダクト４１との間、あるいは外部ダクト４１と前記送風手段５０との間に、緩衝材が設けられている構成であることが好ましい。
【００２０】
この好ましい例によれば、前記ネガマスク２２に伝わるおそれのある前記送風手段５０で発生する振動を、効果的に抑制することが可能となる。
【００２１】
また、本発明に係る写真処理装置においては、前記ネガマスク２２は、ネガフィルムを挟持可能であるように、マスク上部体２２ａおよびマスク下部体２２ｂを用いて構成され、マスク上部体２２ａにおけるマスク下部体２２ｂと接する面に、上部体溝部２２Ａが形成され、該上部体溝部２２Ａと、マスク下部体２２ｂにおけるマスク上部体２２ａと接する面とにより、前記第一のダクト２２Ｖが形成される構成であることが好ましい。
【００２２】
また、本発明に係る写真処理装置においては、前記ネガマスク２２は、ネガフィルムを挟持可能であるように、マスク上部体２２ａおよびマスク下部体２２ｂを用いて構成され、マスク下部体２２ｂにおける写真処理装置本体４０と接する面に、下部体溝部２２Ｂが形成されると共に、該下部体溝部２２Ｂに、溝部蓋体２２ｃが設けられ、下部体溝部２２Ｂと、溝部蓋体２２ｃとにより、前記第二のダクト２２Ｗが形成される構成であることが好ましい。
【００２３】
あるいは、本発明に係る写真処理装置においては、前記ネガマスク２２は、ネガフィルムを挟持可能であるように、マスク上部体２２ａおよびマスク下部体２２ｂを用いて構成され、マスク下部体２２ｂにおける写真処理装置本体４０と接する面に、下部体溝部２２Ｂが形成され、該下部体溝部２２Ｂと、写真処理装置本体４０におけるマスク下部体２２ｂと接する面とにより、前記第二のダクト２２Ｗが形成される構成であることが好ましい。
【００２４】
また、本発明に係る写真処理装置においては、前記ネガマスク２２は、ネガフィルムの画像を感光材料に露光するための画像露光手段又はネガフィルムの画像を読み取るための画像読み取り手段の何れかの一構成要素である構成を採用することができるものである。
【００２５】
【発明の実施の形態】
以下、図面に基づいて、本発明の実施の形態を説明する。
【００２６】
図１は、本発明の実施形態に係る写真処理装置の概略側面図を示したものである。図１に示された写真処理装置は、マガジン１１内に感光材料Ｐが収容された感光材料供給部１０と、この感光材料供給部１０から供給された感光材料Ｐに対して画像の焼き付け処理が行われる画像露光手段２０と、この画像露光手段２０において画像の焼き付けが終了した感光材料Ｐに対して、現像処理、定着処理、および水洗処理等の各処理が行われる現像処理手段３０等とを用いて構成されている。
【００２７】
図１において、感光材料供給部１０のマガジン１１内には、未露光未現像の感光材料Ｐがロール状態で収容されており、この感光材料Ｐは、必要に応じて画像露光手段２０に搬送される。
【００２８】
画像露光手段２０には、感光材料Ｐに対して画像の焼き付けを行う（露光を行う）際に用いられる光源部２１と、フィルムＦを露光軸Ｘ上に保持するためのネガマスク２２と、光源部２１とネガマスク２２との間の光路を形成しているミラートンネル２３と、感光材料Ｐを水平に保持する等のために用いられる露光台２４と、露光軸Ｘ上に置かれたフィルムＦに形成された画像を露光台２４上の感光材料Ｐに結像させるためのレンズ２５と、感光材料Ｐを露光台２４上に搬送させる搬送手段２８等とが設けられている。
【００２９】
画像露光手段２０において露光された感光材料Ｐは、現像処理手段３０に搬送され、発色現像、漂白、定着、安定、乾燥等の処理が行われた後に、カッタ３１によって１枚毎のプリントにカットされ、仕上がりプリント３２として排出される。
【００３０】
図１に示された本実施形態に係る写真処理装置においては、ネガフィルムＦを効果的に冷却して、ネガフィルムのネガ焼け等を防止するために、ネガマスク２２およびその近傍が、図２および図３に示すように構成されている。
【００３１】
図２は、本実施形態に係る写真処理装置（図１参照）における画像露光手段を構成するネガマスク近傍の概略構成図（一部断面図）を示したものである。また、図３は、図２の  ＩＩＩ−ＩＩＩ断面図を示したものである。以下、図１から図３を用いて、本実施形態に係るネガマスク２２近傍の構成について説明する。
【００３２】
図２および図３において、ネガマスク２２は、ネガフィルムＦを挟持可能であるように、マスク上部体２２ａおよびマスク下部体２２ｂを用いて構成されている。本実施形態においては、マスク上部体２２ａとマスク下部体２２ｂとが、所定箇所にてヒンジ等（図示省略）を用いて連結されており、必要に応じて（ネガフィルムＦの装着等の際において）、ヒンジ等を中心に、マスク上部体２２ａがマスク下部体２２ｂに対して回動自在であるように構成されている。そして、このネガマスク２２は、ネガマスク２２等以外の各要素から成る写真処理装置本体４０から着脱自在であるように構成されている。
【００３３】
また、ネガマスク２２を構成するマスク上部体２２ａには、上部体溝部２２Ａが形成されている。この上部体溝部２２Ａは、マスク上部体２２ａとマスク下部体２２ｂとを用いてネガフィルムＦを挟持した際のマスク上部体内側面（マスク上部体２２ａにおけるマスク下部体２２ｂと接する面）に対して、切削等を施して形成されている。
【００３４】
そして、ネガフィルムＦを挟持するために、マスク上部体２２ａをマスク下部体２２ｂに接するように回動させれば、マスク上部体２２ａとマスク下部体２２ｂとの間に、この上部体溝部２２Ａと、マスク下部体内側面（マスク下部体２２ｂにおけるマスク上部体２２ａと接する面）とにより、ダクト（図３において、マスク上部体２２ａ（上部体溝部２２Ａ）とマスク下部体２２ｂ（マスク下部体内側面）とで形成される領域）２２Ｖが形成されることとなる（以下、このダクトを「第一のダクト」という。）。この第一のダクト２２Ｖの一方の開口部（フィルム側開口部）は、ネガフィルムＦ（の表面側（ミラートンネル２３側））に近接する位置に開口されており、他方の開口部（ファン側開口部）は、ネガマスク２２の外部に対して開口されている。
【００３５】
さらに、ネガマスク２２を構成するマスク下部体２２ｂには、下部体溝部２２Ｂが形成されている。この下部体溝部２２Ｂは、ネガマスク２２を写真処理装置本体４０に装着した際のマスク下部体外側面（ネガマスク２２（マスク下部体２２ｂ）における写真処理装置本体４０と接する面）に対して、切削等を施して形成されている。
【００３６】
そして、この下部体溝部２２Ｂには、溝部蓋体２２ｃが設けられており、マスク下部体２２ｂと写真処理装置本体４０との間に、下部体溝部２２Ｂと、溝部蓋体２２ｃとによって、ダクト（図３において、下部体溝部２２Ｂと溝部蓋体２２ｃ（におけるマスク上部体２２ａ側の面）とで形成される領域）２２Ｗが形成されることとなる（以下、このダクトを「第二のダクト」という。）。この第二のダクト２２Ｗの一方の開口部（フィルム側開口部）は、ネガフィルムＦ（の裏面側（レンズ２５側））に近接する位置に開口されており、他方の開口部（ファン側開口部）は、ネガマスク２２の外部に対して開口されている。
【００３７】
写真処理装置本体４０には、外部ダクト４１が形成されている。この外部ダクト４１においては、一方の分岐された開口部（第一の開口部４１Ａおよび第二の開口部４１Ｂ）が、第一および第二のダクト２２Ｖ，２２Ｗに対応するように設けられている。そして、他方の開口部（第三の開口部）４１Ｃには、ファン５０ａを有した送風手段５０が接続されている。
【００３８】
以上のように構成された本実施形態においては、上述したように、送風手段５０と外部ダクト４１の第三の開口部４１Ｃとが接続され、ネガマスク２２を写真処理装置本体４０に適切に装着した際に、外部ダクト４１の第一の開口部４１Ａと第一のダクト２２Ｖ（のファン側開口部）とが接続され、外部ダクト４１の第二の開口部４１Ｂと第二のダクト２２Ｗ（のファン側開口部）とが接続されるように構成されている。
【００３９】
よって、ファン５０ａを駆動させることにより発生する冷却風が、外部ダクト４１、第一のダクト２２Ｖおよび第二のダクト２２Ｗを介して、ネガフィルムＦに供給されることとなる。具体的には、外部ダクト４１の第三の開口部４１Ｃに送られた冷却風が第一の開口部４１Ａと第二の開口部４１Ｂとに分岐され、第一の開口部４１Ａおよび第一のダクト２２Ｖを介して送られる第一の冷却風５０ＡがネガフィルムＦの表面側に吹き付けられ、第二の開口部４１Ｂおよび第二のダクト２２Ｗを介して送られる第二の冷却風５０ＢがネガフィルムＦの裏面側に吹き付けられる。
【００４０】
すなわち、本実施形態によれば、ネガマスク２２内に第一および第二のダクト２２Ｖ，２２Ｗを設け、それぞれのダクト２２Ｖ，２２Ｗの一方の開口部がネガフィルムＦに近接する位置に設けられているので、ファン５０ａを駆動させて発生される冷却風５０Ａ，５０Ｂを、ネガフィルムＦの表面側および裏面側に対して、効率的に送風することができる。加えて、本実施形態によれば、ネガマスク２２内にダクト２２Ｖ，２２Ｗを設け、そのダクト２２Ｖ，２２Ｗに送風手段５０が接続されているので、従来のようにファンを設ける際における光路や他部品とのスペース的な干渉等を考慮する必要がなく、比較的ネガフィルムＦに近い位置に送風手段５０を設けることができる。また、仮に、若干離れた位置に送風手段５０を設けなければならない場合であっても、送風手段５０から供給される冷却風は、ダクト４１，２２Ｖ，２２Ｗを介してネガフィルムＦに吹き付けられるので、従来よりも、冷却効率を上昇させることが可能である画像露光手段を得ることができる。
【００４１】
また、本実施形態においては、ネガマスク２２内に第一および第二のダクト２２Ｖ，２２Ｗが設けられ、これらのダクト２２Ｖ，２２Ｗの一方の開口部（フィルム側開口部）が、ネガフィルムＦの表面側および裏面側に対して、送風手段５０からの冷却風を送風できるように設けられている。そして、これらのダクト２２Ｖ，２２Ｗに対しては、一つのファン５０ａを有する一つの送風手段５０から冷却風の供給が行われている。
【００４２】
したがって、本実施形態によれば、ネガマスク２２に複数のダクトを設け、そのダクトに対して一つの送風手段を接続することによって、ネガフィルムＦに対する複数方向からの送風を実現することが可能である。よって、本実施形態によれば、ダクト４１，２２Ｖ，２２Ｗを介して送風手段からの冷却風を送風する構成とすることによって、ネガフィルムＦに対して複数方向からの送風を行う際におけるファンの数を減少させることが可能である画像露光手段を得ることができる。
【００４３】
さらに、本実施形態においては、ネガフィルムのサイズに応じて、着脱自在に構成されたネガマスク２２にダクト２２Ｖ，２２Ｗが形成され、このダクト２２Ｖ，２２Ｗに対応するように、外部ダクト４１および送風手段５０が設けられている。したがって、本実施形態に係る画像露光手段を有した写真処理装置によれば、他のサイズに用いられるネガマスクを用いる場合であっても、そのネガマスクに対して、これらの外部ダクト４１および送風手段５０に対応した形状のダクトを形成することによって、いかなるサイズのネガフィルムについても、上述した場合と同様に、効率よく冷却を行うことが可能である写真処理装置を得ることができる。
【００４４】
また、本実施形態においては、上述したように、外部ダクト４１を介してネガマスク２２と送風手段５０とが接続されており、この外部ダクト４１は、送風手段５０からの振動をネガマスク２２に伝えにくくするための、いわゆる緩衝材としての機能も有している。本実施形態において、さらに送風手段５０からの振動をネガマスク２２に伝えにくく構成したい場合には、ネガマスク２２と送風手段５０（ファン５０ａ）との間に（ネガマスク２２と外部ダクト４１との間、および外部ダクト４１と送風手段５０との間の少なくとも一方に）、ゴム、シリコーン含有樹脂、フッ素含有樹脂等を用いて形成される緩衝材を設けてもよい。
【００４５】
なお、本実施形態においては、ファン５０ａの作動タイミング等については特に説明しなかったが、本発明は何らかの構成に限定されるものではない。したがって、例えば、常にファン５０ａを作動させて常時ネガフィルムＦに対して冷却風を送るような構成であってもよく、または、ネガフィルムＦのそれぞれのコマに対する露光回数に応じて、ある所定値を越える場合において（例えば、２回以上の露光を行う場合において）、ファン５０ａを作動させるような構成としてもよい。
【００４６】
また、本実施形態においては、ネガマスク２２内に二本のダクトを設ける場合について説明したが、本発明はこの構成に限定されるものではなく、必要に応じて、３本以上のダクトを設けてもよい。すなわち、ダクトの本数および設置位置等は、必要に応じて、適宜変更可能である。
【００４７】
また、本実施形態においては、ネガフィルムＦの裏面側に送風を行う第二のダクト２２Ｗが、下部体溝部２２Ｂと溝部蓋体２２ｃとを用いて構成される場合について説明したが、本発明はこの構成に限定されるものではなく、例えば、下部体溝部２２Ｂと写真処理装置本体４０（におけるマスク下部体２２ｂと接する面）とを用いて、第二のダクトが形成されるような構成であってもよい。この場合には、第二のダクトを介して行われるネガフィルムＦに対する送風が効果的に行われ、ネガフィルムＦが効率よく冷却されるように、写真処理装置本体４０におけるマスク下部体２２ｂと接する面に対して加工を施すことが好ましい。この加工としては、例えば、マスク下部体２２ｂと接する面の下部体溝部２２Ｂに対応する位置に所定の傾きが設けられ、この傾きが第二のダクト内の冷却風をネガフィルムＦに効果的に導くような角度等で形成されていることが好ましい。
【００４８】
また、以上の説明においては、本実施形態に係る画像露光手段が、図１に示されるような画像露光処理および現像処理等を一連の流れで自動的に行う写真処理装置に適用される場合について説明したが、本発明はこの構成に限定されるものではない。したがって、例えば、図１で示したような構成以外の他の装置に対して、本実施形態に係る画像露光手段が設けられてもよい。
【００４９】
また、本実施形態においては、ダクトを有したネガマスクを用いて画像露光手段を構成する場合について説明したが、本発明はこの構成に限定されるものではない。したがって、例えば、本実施形態に係るネガマスク（ダクトを有したネガマスク）等が、画像露光手段ではなく、画像読み取り手段（いわゆるスキャナ）を構成するために用いられてもよい。
【００５０】
また、送風手段５０もネガマスク２２と共に写真処理装置本体４０から着脱自在に構成されてもよく、また、送風手段５０については写真処理装置本体４０に固定されるように構成されてもよい。
【００５１】
【発明の効果】
以上説明したように本発明によれば、ネガフィルムの冷却を効率良く行うことが可能であると共に、ネガフィルムに対して複数方向からの送風を行う際におけるファンの数を減少させることが可能である写真処理装置を得ることができる。
【図面の簡単な説明】
【図１】本発明の実施形態に係る写真処理装置の概略断面図
【図２】図１の写真処理装置における画像露光手段を構成するネガマスク近傍の概略構成図
【図３】図２の  ＩＩＩ−ＩＩＩ断面図
【図４】従来技術に係る画像露光手段の概略構成図
【符号の説明】
１０    感光材料供給部
２０    画像露光手段
２１      光源部
２２      ネガマスク
２２ａ      マスク上部体
２２ｂ      マスク下部体
２２ｃ      溝部蓋体
２２Ａ      上部体溝部
２２Ｂ      下部体溝部
２２Ｖ      第一のダクト
２２Ｗ      第二のダクト
２３      ミラートンネル
２４      露光台
２５      レンズ
３０    現像処理手段
４０    写真処理装置本体
４１      外部ダクト
４１Ａ      第一の開口部
４１Ｂ      第二の開口部
４１Ｃ      第三の開口部
５０      送風手段
５０ａ      ファン
【図１】
0003608714.tif 000002
【図２】
0003608714.tif 000003
【図３】
0003608714.tif 000004
【図４】
0003608714.tif 000005